(57)【要約】【課題】打球のコントロールをより容易とするゴルフクラブヘッドを提供する。【解決手段】ゴルフクラブヘッド１０において、そのソール面１３ａは、ラウンド形状となっている。このソール面１３ａの稜線Ｒ１は、ゴルフクラブヘッド１０の重心を鉛直にソール面１３ａに投影した重心投影点Ｃ１を通過する。この稜線Ｒ１は、重心投影点Ｃ１から一方に延びる稜線と、他方に延びる稜線とを有しており、一方に伸びる稜線は、重心を通る基準線を基準として、他方に伸びる稜線の反対側に位置している。【選択図】図１
2017000523.tif 000002
【特許請求の範囲】
【請求項１】
ゴルフクラブヘッドであって、
前記ゴルフクラブヘッドのソール面は、前記ゴルフクラブヘッドがラトルバック現象を生じるように形成されている、
ゴルフクラブヘッド。
【請求項２】
ゴルフクラブヘッドであって、
前記ゴルフクラブヘッドのソール面は、ラウンド形状となっており、
前記ソール面の稜線は、前記ゴルフクラブヘッドの重心を鉛直に前記ソール面に投影した重心投影点を通過し、
前記稜線は、前記重心投影点から一方に伸びる稜線と、他方に伸びる稜線とを有し、
前記一方に伸びる稜線は、前記重心を通る基準線を基準として、前記他方に伸びる稜線の反対側に位置している、
ゴルフクラブヘッド。
【請求項３】
ゴルフクラブヘッドであって、
前記ゴルフクラブヘッドのソール面は、ラウンド形状となっており、
前記ソール面の稜線は、前記ゴルフクラブヘッドを通過する特定の水平面上の互いに直交する第１の軸と第２の軸とのそれぞれを基準として、互いに反対側に位置する第１の稜線と第２の稜線とを有している、
ゴルフクラブヘッド。
【請求項４】
前記第１の軸の周りの前記ゴルフクラブヘッドの慣性モーメントは、前記第２の軸の周りの前記ゴルフクラブヘッドの慣性モーメントよりも小さくなっており、前記ソール面は、前記稜線が前記第１の軸に沿うように形成されている、請求項３記載のゴルフクラブヘッド。
【発明の詳細な説明】
【技術分野】
【０００１】
この発明は、ゴルフクラブヘッドに関し、特に、打球のコントロールをより容易とするゴルフクラブヘッドに関する。
【０００２】
ゴルフの競技においてより良いスコアを得るため、種々の改良がゴルフクラブに施されている。例えば、特許文献１では、打球時の方向性を改良するため、アイアンクラブヘッドのフェース部に形成された貫通孔に比重の小さいフェースインサート部材を装着するとともに、バックキャビティー部のうちトー先端上側部およびソール部の中央部からヒール部にかけての部位の重量を多くすることにより、インパクト（打撃）時にボールがスイートスポットから外れて衝突するオフセット衝突によるヘッドの回転を抑えることが提案されている。
【先行技術文献】
【特許文献】
【０００３】
【特許文献１】特開２００１−０７９１２２公報
【発明の概要】
【発明が解決しようとする課題】
【０００４】
しかしながら、オフセット衝突によるヘッドの回転を抑えるようにヘッドを構成しても、個々のゴルファーはスイングの特性が異なっており、全てのゴルファーにとって打撃したボール（打球）のコントロールが容易となるわけではない。具体的にいえば、あるゴルファーでは、打球がスライスして右方向にそれる傾向があり、別のゴルファーでは、打球がフックして左方向にそれる傾向があるように、スライスあるいはフックする傾向は、主としてゴルファーのスイングの特性によって決定される。このような傾向は、ヘッドの回転を抑えても変わることがないため、ヘッドの回転を抑えるのみでは打球のコントロールの難しさは低減されない。また、ウッド等では、打球の飛距離を伸ばすためにヘッドの体積を大きくすると、重心距離が長くなり、打球がスライスしやすくなるため、打球の飛距離を伸ばすとともに、打球がスライスする傾向を抑えることは容易でない。
【０００５】
本発明は、上述した従来の課題を解決するためになされたものであり、打球のコントロールをより容易とするゴルフクラブヘッドを提供することを目的とする。
【課題を解決するための手段】
【０００６】
上記課題の少なくとも一部を達成するために、本発明の第１のゴルフクラブヘッドは、前記ゴルフクラブヘッドがラトルバック現象を生じるように、前記ゴルフクラブヘッドのソール面が形成されていることを特徴とする。
【０００７】
ゴルフクラブヘッドがラトルバック現象を生じるようにソール面を形成することにより、ボールの打撃の際にソール面が地面と接触すると、ヘッドはラトルバック現象により特定の回転方向に回転しやすくなる。この回転方向（易回転方向）をフェイスが閉じる方向とすることによりスライスが抑制され、易回転方向をフェイスが開く方向とすることによりフックが抑制される。これにより、打球がスライスする傾向にあるゴルファーにはフェイスが閉じる方向を易回転方向とするヘッドを提供し、打球がフックする傾向にあるゴルファーにはフェイスが開く方向を易回転方向とするヘッドを提供することができる。そのため、ゴルファーは、自身のスイングに応じて易回転方向が適切なヘッドを選択して、打球がスライスあるいはフックすることを抑制することができるので、打球をより容易にコントロールすることができる。
【０００８】
上記課題の少なくとも一部を達成するために、本発明の第２のゴルフクラブヘッドは、ソール面がラウンド形状となっており、前記ソール面の稜線は、前記ゴルフクラブヘッドの重心を鉛直に前記ソール面に投影した重心投影点を通過し、前記稜線は、前記重心投影点から一方に伸びる稜線と、他方に伸びる稜線とを有し、前記一方に伸びる稜線は、前記重心を通る基準線を基準として、前記他方に伸びる稜線の反対側に位置していることを特徴とする。
【０００９】
この構成によれば、ゴルフクラブヘッドにおいてラトルバック現象を発生させることができる。そのため、ゴルファーは、易回転方向が自身のスイングに応じて適切なヘッドを選択することで、打球をより容易にコントロールすることが可能となる。
【００１０】
上記課題の少なくとも一部を達成するために、本発明の第３のゴルフクラブヘッドは、ソール面がラウンド形状となっており、前記ソール面の稜線は、前記ゴルフクラブヘッドを通過する特定の水平面上の互いに直交する第１の軸と第２の軸とのそれぞれを基準として、互いに反対側に位置する第１の稜線と第２の稜線とを有していることを特徴とする。
【００１１】
この構成によってもゴルフクラブヘッドにおいてラトルバック現象を発生させることができる。そのため、ゴルファーは、易回転方向が自身のスイングに応じて適切なヘッドを選択することで、打球をより容易にコントロールすることが可能となる。
【００１２】
前記第１の軸の周りの前記ゴルフクラブヘッドの慣性モーメントは、前記第２の軸の周りの前記ゴルフクラブヘッドの慣性モーメントよりも小さくなっており、前記ソール面は、前記稜線が前記第１の軸に沿うように形成されているものとしても良い。
【００１３】
このようにすれば、ゴルフクラブヘッドと地面との接触点となる稜線の長さがより長くなるとともに、接触点において生じる回転力がより強くなるので、より確実にラトルバック現象を発生させることができる。そのため、ゴルファーは、打球をさらに容易のコントロールすることが可能となる。
【００１４】
なお、本発明は、種々の態様で実現することが可能である。例えば、ゴルフクラブヘッド、そのゴルフクラブヘッドを使用したゴルフクラブ、そのゴルフクラブヘッドあるいはゴルフクラブを含むゴルフクラブセットやゴルフクラブのシリーズ等、種々の態様で実現するものとしても良い。
【図面の簡単な説明】
【００１５】
【図１】第１実施形態としてのヘッドの構成を示す説明図。
【図２】ヘッドにおいて生じるラトルバック現象を説明する説明図。
【図３】第２実施形態としてのヘッドの構成を示す説明図。
【図４】第３実施形態としてのヘッドの構成を示す説明図。
【発明を実施するための形態】
【００１６】
Ａ．第１実施形態：
Ａ１．ゴルフクラブヘッド：
図１は、本発明の第１実施形態としてのゴルフクラブヘッド１０（以下、単に「ヘッド１０」とも呼ぶ）の構成を示す説明図である。図１（ａ）および図１（ｂ）は、それぞれ、ヘッド１０をフェイス側から見た様子と、ヘッド１０をソール側から見た様子を示す外観図である。図１に示すヘッド１０は、アイアンと呼ばれる種類のヘッドであり、打球面１１ａを有するフェイス部１１と、ソール面１３ａを有するソール部１３と、シャフト（図示しない）を固定するためのホーゼル部１７とを備えている。ここで、ソール面１３ａとは、ヘッド１０を用いてボールを打撃する際に地面と接触することが想定される領域を謂う。
【００１７】
図１（ａ）に示すように、ソール面１３ａは、ヒール側からトゥ側に向かう方向（ヒール−トゥ方向）において、緩やかなカーブを描いている。また、図示しないが、ソール面１３ａは、フェイス側からバック側に向かう方向（フェイス−バック方向）においても、緩やかなカーブを描いている。このようにソール面１３ａは、全体として緩やかな曲面であるラウンド形状となっている。このように、ヘッド１０では、ソール面１３ａをラウンド形状とすることにより、ソール面１３ａには稜線Ｒ１が現れる。
【００１８】
第１実施形態のヘッド１０では、ソール面１３ａの稜線Ｒ１が、ヘッド１０の重心投影点Ｃ１を通り、重心投影点Ｃ１よりもトゥ側ではバック側寄りに、重心投影点Ｃ１よりもヒール側ではフェイス側寄りに位置している。すなわち、トゥ側の稜線Ｒ１は、ヒール側の稜線Ｒ１よりもバック側に位置している。ここで、重心投影点Ｃ１とは、シャフトを取り付けていないヘッド１０単体を錐体の頂点上にバランスを取って配置した状態において、ヘッドの重心（図示しない）を鉛直にソール面１３ａに投影した点、すなわち、ヘッド１０の重心を通る鉛直線とソール面１３ａとの交点を謂う。また、稜線Ｒ１とは、ソール面１３ａを鉛直方向に立った切断面で切断した際に曲率が最大となる点を結んだ線を謂う。なお、本明細書では、ヘッドに関する説明において、「水平」あるいは「水平方向」とは、ヘッドを錐体の頂点上にバランスを取って配置した状態における、水平方向を謂い、「鉛直」あるいは「鉛直方向」とは、ヘッドを錐体の頂点上にバランスを取って配置した状態における、鉛直方向を謂う。
【００１９】
図１（ｂ）から分かるように、第１実施形態のヘッド１０では、Ｓ字型の稜線Ｒ１が重心投影点Ｃ１に対して点対称となるように、ソール面１３ａが形成されている。但し、ソール面１３ａは、後述するラトルバック現象が生じるように形成されていれば良く、ソール面１３ａにおける稜線Ｒ１の形態は、種々変更可能である。
【００２０】
Ａ２．ラトルバック現象：
図２は、ヘッド１０（図１）において生じるラトルバック現象を説明する説明図であり、ソール部１３と同様の外形形状を有するラトルバック９３（「ケルト石」とも呼ばれる）の動きを示している。図２の一点鎖線は、ラトルバック９３の重心ＣＧを通る水平方向の軸線を示している。図２（ａ）、図２（ｃ）および図２（ｄ）は、ラトルバック９３の下面９３ａ（ソール面１３ａに相当する）を水平面ＰＦ（図２（ｂ））上に配置し、ラトルバック９３を鉛直上方から見た様子を示し、図２（ｂ）は、ラトルバック９３をＹ軸の負方向から見た様子を示している。図２に示すように、ラトルバック９３は、Ｘ軸方向がＹ軸方向よりも長い楕円体様の部材を水平に２分割した形状（以下、「半楕円体様の形状」とも謂う）をしている。
【００２１】
図２に示すように、ラトルバック９３においても、Ｓ字型の稜線Ｒ９が重心投影点Ｃ９に対して点対称となるように下面９３ａが形成されている。この稜線Ｒ９は、鉛直上方から見て、ラトルバック９３の長軸（Ｘ軸）から時計方向にややずれた位置を通っている。これにより、図２のラトルバック９３は、鉛直上方から見て反時計方向に回転しやすくなっている。なお、以下では、ラトルバック９３において、回転しやすい方向を「易回転方向」とも呼ぶ。また、本明細書においては、特に断らない限り、上述のように特定の線（ここではＸ軸）を基準として稜線Ｒ９の形態を規定する場合、鉛直上方から見た状態で規定する。
【００２２】
このラトルバック９３を、図２（ａ）に示すように、易回転方向と反対方向に回転させると、ラトルバック９３は、図２（ｂ）に示すように、長軸（Ｘ軸）の両端が上下するように揺動し始める。ラトルバック９３が揺動して、破線で示すように傾くと、ラトルバック９３は、重心投影点Ｃ９から離れた点（接触点）Ｔ９において、水平面ＰＦと接触する。このとき、ラトルバック９３には、接触点Ｔ９において、ラトルバック９３と水平面ＰＦとが滑らないように摩擦力が加わる。接触点Ｔ９においてラトルバック９３に摩擦力が加わることにより、ラトルバック９３を易回転方向に回転させる回転力Ｆが発生し、ラトルバック９３は、易回転方向（鉛直上方から見て反時計方向）に明確に回転し始める。なお、本明細書においては、このラトルバック９３の様に、水平面上に配置して特定の回転方向（易回転方向）と反対方向に回転させた場合に、回転が反転して、当該特定の回転方向に明確に回転し始める現象を「ラトルバック現象」と呼ぶ。
【００２３】
なお、ラトルバック現象を生じさせるためには、ラトルバック９３（ヘッド１０のソール部１３に相当する）の形状は、必ずしも半楕円体様である必要はない。例えば、鉛直方向から見て、Ｘ軸方向とＹ軸方向との長さがほぼ同一であっても良い。また、ラトルバック現象を生じさせるためには、下面９３ａの稜線Ｒ９が、重心ＣＧを通る特定方向の線（図２の例では、ラトルバック９３の長軸（Ｘ軸））を基準として、重心投影点Ｃ９から一方に延びる稜線Ｒ９が、他方に延びる稜線Ｒ９と反対側に位置していれば良い。この特定方向の線（基準線）の方向は、重心ＣＧを通過する限り任意の方向とすることができる。
【００２４】
また、図２から分かるように、ラトルバック９３の稜線Ｒ９は、重心ＣＧを通る水平面（Ｘ−Ｙ平面）上の互いに直交する２つの軸（図２では、Ｘ軸とＹ軸）のそれぞれを基準として、互いに反対側に位置する２つの稜線からなっている。このように、稜線Ｒ９が、水平面上の互いに直交する２つの軸のそれぞれを基準として、互いに反対側に位置する２つの稜線からなるようにすれば、ラトルバック現象を生じさせることができる。なお、稜線Ｒ９の位置の基準となる２つの軸は、直交している限り、その方向は、上述の基準線と同様に、長軸（Ｘ軸）方向や短軸（Ｙ軸）方向に限定されることはなく、任意の方向とすることができる。また、図２の例では、稜線Ｒ９の位置の基準となる２つの軸（Ｘ軸およびＹ軸）は、重心ＣＧを通っているが、必ずしも重心ＣＧを通過しなくとも良く、ラトルバック９３（ヘッド１０自体）を通過する特定の水平面上にあれば良い。
【００２５】
なお、図２に示すラトルバック９３では、ラトルバック９３自体の長さが稜線Ｒ９の位置の基準となる２つの軸（Ｘ軸およびＹ軸）の方向で異なっている。このような場合、稜線Ｒ９は、これらの２つの軸のうち、軸周りにおけるラトルバック９３の慣性モーメントがより小さい軸（図２では、Ｘ軸）に沿うようにするのが好ましい。ここで、稜線が特定の軸（以下、「特定軸」とも呼ぶ）に沿うとは、稜線が全体として当該特定軸の方向に伸びていることを謂う。稜線が特定軸に沿うか否かは、種々の基準により判断することができる。例えば、稜線全体のうちの２／３以上の長さの部分において、稜線が特定軸に直交する軸（以下、「直交軸」とも呼ぶ）よりも、特定軸に近い位置を通る場合に、稜線が特定軸に沿っていると判断することができる。また、一般に、特定軸と直交軸との交点の近傍では、回転中心からの距離が短いため、接触点において生じる回転力のモーメントが小さくなる。そのため、特定軸と直交軸との交点の近傍以外の領域、すなわち、接触点に加わる摩擦力が有効な回転力を生じさせる領域において、稜線が直交軸よりも特定軸に近い位置を通る場合に、稜線が特定軸に沿っていると判断することもできる。さらに、特定軸に投影した稜線の長さが、直交軸に投影した稜線の長さよりも長い場合に、稜線が特定軸に沿っていると判断するものとしても良い。
【００２６】
このように、稜線Ｒ９が慣性モーメントの小さい軸（図２では、Ｘ軸）に沿うようにすれば、水平面ＰＦとの接触点となる稜線Ｒ９の長さがより長くなるとともに、接触点Ｔ９において生じる回転力Ｆがより強くなるので、ラトルバック現象をより確実に発生させることが可能となる。但し、稜線Ｒ９（ヘッド１０の稜線Ｒ１）は、必ずしも慣性モーメントの小さいＸ軸（ヘッド１０のヒール−トゥ方向の軸）に沿う必要はなく、慣性モーメントの大きいＹ軸（ヘッド１０のフェイス−バック方向の軸）や、Ｘ軸方向（ヘッド１０のヒール−トゥ方向）に対して斜めに伸びる特定の軸に沿うようにしても良い。
【００２７】
上述のように、第１実施形態のヘッド１０（図１）では、ラトルバック現象が生じるようにソール面１３ａを形成している。これにより、ヘッド１０が地面と接触した際には、図１の矢印で示すように、重心を通る鉛直線（図１（ａ）の一点鎖線）を中心に、易回転方向であるフェイスが閉じる方向への回転力がヘッド１０に加わる。そのため、第１実施形態のヘッド１０を用いることにより、ボールの打撃時にフェイスが閉じる方向にヘッド１０が回転しやすくなり、ボールを捕まえやすくなる。また、フェイスが閉じる方向にヘッド１０が回転しやすくなることにより、打撃したボール（打球）がスライスして右方向にそれるようなミスショットの発生を抑制することが可能となる。さらに、一般的に、フェイスが閉じると打球のバックスピンが弱くなり、打球の上昇（吹き上がり）が抑制される。そのため、第１実施形態は、打球の上昇を抑制するのが好ましいロングアイアンに適用するのが好ましい。
【００２８】
Ｂ．第２実施形態：
図３は、第２実施形態としてのヘッド２０の構成を示す説明図である。第２実施形態のヘッド２０は、ソール部２３が有するソール面２３ａの形状が第１実施形態のヘッド１０と異なっている。他の点は、第１実施形態のヘッド１０と同様である。
【００２９】
第２実施形態のヘッド２０では、重心投影点Ｃ２を通るソール面２３ａの稜線Ｒ２が、第１実施形態のヘッド１０とは反対に、重心投影点Ｃ２よりもトゥ側ではフェイス側寄りに、重心投影点Ｃ２よりもヒール側ではバック側寄りに位置している。すなわち、ヒール側の稜線Ｒ２は、トゥ側の稜線Ｒ２よりもバック側に位置している。そのため、第２実施形態では、ヘッド２０が地面と接触した際に、ラトルバック現象によりフェイスが開く方向への回転力がヘッド２０に加わる。このように、第２実施形態のヘッド２０を用いることにより、ボールの打撃時にフェイスが開く方向にヘッド２０が回転しやすくなるため、ボールが引っかかりにくくなる。また、フェイスが開く方向にヘッド２０が回転しやすくなることにより、打球がフックして左方向にそれるようなミスショットの発生を抑制することが可能となる。さらに、一般的に、フェイスが開くと打球のバックスピンが強くなって打球が上昇しやすくなるとともに、ヘッドの抜け（振り抜きやすさ）が良くなる。そのため、第２実施形態は、打球を上昇させるのが好ましく、また、ヘッドが地面に潜りやすいウェッジ等のショートアイアンに適用するのが好ましい。
【００３０】
Ｃ．第３実施形態：
図４は、第３実施形態としてのヘッド３０の構成を示す説明図である。図４（ａ）および図４（ｂ）は、それぞれ、ヘッド３０をフェイス側から見た様子と、ヘッド３０をソール側から見た様子を示す外観図である。第３実施形態のヘッド３０は、いわゆるフェアウェイウッドと呼ばれる種類のヘッドであり、打球面３１ａを有するフェイス部３１と、クラウン部３２と、ソール面３３ａを有するソール部３３と、ヒール部３４と、トゥ部３５と、バック部３６と、ホーゼル部３７とを備えている。第３実施形態のヘッド３０においても、ソール面３３ａは、ヒール−トゥ方向およびフェイス−バック方向のそれぞれにおいて、緩やかなカーブを描くラウンド形状となっている。
【００３１】
第３実施形態のヘッド３０では、第１実施形態のヘッド１０と同様に、ソール面３３ａの稜線Ｒ３は、ヘッド３０の重心投影点Ｃ３を通り、重心投影点Ｃ３よりもトゥ側ではバック側寄りに、重心投影点Ｃ３よりもヒール側ではフェイス側寄りに位置している。すなわち、トゥ側の稜線Ｒ３は、ヒール側の稜線Ｒ３よりもバック側に位置している。そのため、第３実施形態では、第１実施形態と同様に、ヘッド３０が地面と接触した際に、ラトルバック現象によりフェイスが閉じる方向への回転力がヘッド３０に加わる。このように、第３実施形態においても、ボールの打撃時にフェイスが閉じる方向にヘッド３０が回転しやすくなるため、ボールが捕まりやすくなる。また、フェイスが閉じる方向にヘッド３０が回転しやすくなることにより、打球がスライスして左方向にそれるようなミスショットの発生を抑制することが可能となる。特に、ウッドのように体積が大きいヘッドでは、シャフトの軸線から打球面３１ａ上のスイートスポットまでの距離（「重心距離」と呼ばれる）が長くなり、フェイスを返すことが難しくなるため、フェイスが開き気味となり打球がスライスしやすい。そのため、ウッドについては、第３実施形態のヘッド３０のように、フェイスが閉じる方向に回転しやすくするのが好ましい。さらに、上述のように、フェイスが閉じると打球のバックスピンが弱くなり、打球の吹き上がりが抑制されるので、吹き上がりによる飛距離の低下が抑制され、ウッドの飛距離をより長くすることが可能となる。
【００３２】
Ｄ．他の適用態様：
上記各実施形態では、好適な適用態様として、ウッドやロングアイアンについては、フェイスが閉じる方向にヘッド１０，３０を回転しやすくし、ショートアイアンについては、フェイスが開く方向にヘッド２０を回転しやすくする例を示したが、必ずしもこのようにする必要はない。例えば、ヘッドの種類にかかわらず、回転しやすい方向が異なるヘッドを準備するものとしても良い。このようにすれば、打球がスライスしやすいゴルファーには、フェイスが閉じる方向にヘッドが回転しやすいヘッドを提供し、打球がフックしやすいゴルファーには、フェイスが開く方向にヘッドが回転しやすいヘッドを提供することができるので、ゴルファーは、ゴルファー自身のスイングの特性に応じて、回転しやすい方向が適切なヘッドを選択して、より容易に打球をコントロールすることが可能となる。
【００３３】
また、本発明は、ウッドとアイアンとを組み合わせたゴルフクラブセット、複数のアイアンを組み合わせたアイアンセット、あるいは、製造者側において１つの商品群として販売するために開発されたゴルフクラブのシリーズ（ゴルフクラブシリーズ）に対して適用することも可能である。この場合、ゴルフクラブセット、アイアンセット、あるいは、ゴルフクラブシリーズを構成する個々のゴルフクラブのヘッドについて、回転しやすい方向は、上述したようにヘッドの種類に応じて設定される。
【００３４】
さらに、上記各実施形態では、本発明をウッドやアイアンに適用しているが、本発明は、パターにも適用することができる。一般に、パターにおいては、インパクト時のフェイスの向きが打球の打出し方向に影響を与えるため、フェイスの向きの適否は、パッティングの成否（カップインするか否か）に対して大きな影響を与える。そのため、ゴルファー自身のパッティングの特性等に応じて、ヘッドを適切な方向に回転しやすくし、インパクト時のフェイスの向きをより適切な方向となるようにすれば、より確実にパッティングを成功させることが可能となる。そこで、本発明をパターに適用すれば、グリーン上の芝生（地面に相当する）あるいはグリーン外の地面と、パターとの間で生じる摩擦により、パターのヘッドをより適切な方向へ回転しやすくすることができるので、より確実にパッティングを成功させることが可能となる。
【符号の説明】
【００３５】
１０，２０，３０…ヘッド、１１，３１…フェイス部、１１ａ，３１ａ…打球面、１３，２３，３３…ソール部、１３ａ，２３ａ，３３ａ…ソール面、１７，３７…ホーゼル部、３２…クラウン部、３４…ヒール部、３５…トゥ部、３６…バック部、９３…ラトルバック、９３ａ…下面、Ｃ１，Ｃ２，Ｃ３，Ｃ９…重心投影点、ＣＧ…重心、ＰＦ…水平面、Ｒ１，Ｒ２，Ｒ３，Ｒ９…稜線、Ｔ９…接触点
【図１】
2017000523.tif 000003
【図２】
2017000523.tif 000004
【図３】
2017000523.tif 000005
【図４】
2017000523.tif 000006